(57)【特許請求の範囲】
【請求項１】
ガス貯蔵容器もしくは起動用ガス容器に取り付けられる容器弁の封板を突き破るための破壊針が進退動自在に備えられているガス系消火設備の開放器であって、
前記破壊針を前記封板に向かう前進方向に押圧付勢するためのばね部材と、制御盤からの起動信号で回転するモーターと、該モーターを動力源として前記ばね部材に圧縮荷重を加える作用をするばね押圧機構と、平常時は前記破壊針に係止し前記ばね部材が所定圧に圧縮されたときに前記破壊針の係止状態を解除するロック・アンロック手段とを備えており、前記ばね部材は平常時に自由状態にセットされていることを特徴とする、ガス系消火設備の開放器。
【請求項２】
前記ばね押圧機構が、内周面に雌ねじを設けたナット部材と、外周面に前記雌ねじに螺合する雄ねじを有し、前記モーターの軸上に遊嵌されて該軸と共に回転すると同時に軸方向に移動するばね押圧体とからなる、請求項１記載のガス系消火設備の開放器。
【請求項３】
前記ロック・アンロック手段がベルクランクからなり、このベルクランクは、これの両腕間の中間部を支持される支軸を中心として揺動自在に装着され、平常時に一方の腕の一端部が前記破壊針に係止すると共に他方の腕の一端部が前記ナット部材の一部の穴から内部に臨み、前記ばね押圧体が前記ばね部材を所定圧に圧縮する位置にまで移動したとき前記一方の腕の一端部が該ばね押圧体との当接により前記ナット部材の穴に退入すると同時に他方の腕の一端部が前記破壊針との係止状態を解除するように構成してある、請求項２記載のガス系消火設備の開放器。
【請求項４】
前記ロック・アンロック手段が、前記ばね押圧体が前記ばね部材を所定圧に圧縮する位置にまで移動したときに当該位置を検出する検出センサと、平常時に前記破壊針に係止し、前記検出センサからの位置検出信号を入力して前記破壊針との係止状態を解除するソレノイドとからなる、請求項２記載のガス系消火設備の開放器。
【発明の詳細な説明】
【０００１】
【発明の属する技術分野】
本発明は、二酸化炭素、窒素、ハロン、イナ−ジェンガス等のガスを放出して火災を消火するガス系消火設備において、ガス貯蔵容器もしくは起動用ガス容器に取り付けられた容器弁を開放するための開放器に関する。
【０００２】
【従来の技術】
ガス系消火設備において、消火用ガスを貯蔵するガス貯蔵容器、またはその貯蔵容器をガス圧力により開放させるための起動用ガス容器には、容器弁と、その容器弁を開放するための開放器が取り付けられている。その開放器は、図３にその概略図を示すように、容器弁Ｖの銅板等からなる封板Ｓを突き破るための進退動自在な破壊針２０と、この破壊針２０を前記封板Ｓに向かう前進方向に押圧付勢するばね部材２１と、平常時は破壊針２０をばね部材２１の付勢力に抗して後退位置に停止保持すべく該破壊針２０に係止しているソレノイド２２とを備えており、ソレノイド２２は制御盤からの起動信号により作動すると破壊針２０との係止状態を解除し、この解除に伴い破壊針２０がばね部材２１の付勢力により急激に前進移動して容器弁Ｖの封板Ｓを突き破るようになっている。また、図示省略するが、停電時には手動操作でも前記破壊針２０の係止状態を解除できるように前記ソレノイド２２に手動式解除手段を併装したものがある。
【０００３】
【発明が解決しようとする課題】
しかるに、平常時にばね部材２１が圧縮状態で破壊針２０を押圧付勢して容器弁Ｖの封板Ｓを破壊するエネルギーを蓄えている構造の上記開放器では、不測にも制御盤から開放器への配線内に電気ノイズが入ってソレノイド２２の作動で開放器が作動したり、手動式解除手段を併装した開放器ではこの開放器自体に機械的振動や衝撃作用が加えられて開放器が作動したりすることがあるが、このように一旦開放器が作動すると、一挙に、消火用ガス、特に二酸化炭素消火薬剤が防護区画内に放出されるため、逃げ遅れて防護区画内に居る人の人命に関わるおそれがあった。
【０００４】
本発明は、上記のような問題を解消するためになされたものであり、平常時はばね部材が容器弁の封板を破壊するだけのエネルギーを蓄えない自由状態にセットされるものとし、もって電気ノイズ、振動、衝撃等の外乱により開放器が誤作動することのないようにして安全性の確保を図れるガス系消火設備の開放器を提供することを目的とする。
【０００５】
【課題を解決するための手段】
本発明は、ガス貯蔵容器もしくは起動用ガス容器に取り付けられる容器弁の封板を突き破るための破壊針が進退動自在に備えられているガス系消火設備の開放器であって、前記破壊針を前記封板に向かう前進方向に押圧付勢するためのばね部材と、制御盤からの起動信号で回転するモーターと、該モーターを動力源として前記ばね部材に圧縮荷重を加える作用をするばね押圧機構と、平常時は前記破壊針に係止し前記ばね部材が所定圧に圧縮されたときに前記破壊針の係止状態を解除するロック・アンロック手段とを備えており、前記ばね部材は平常時に自由状態にセットされていることに特徴を有するものである。
【０００６】
この場合において、前記ばね押圧機構としては、内周面に雌ねじを設けたナット部材と、外周面に前記雌ねじに螺合する雄ねじを有し、前記モーターの軸上に遊嵌されて該軸と共に回転すると同時に軸方向に移動するばね押圧体とからなるものとすることができる。
また、前記ロック・アンロック手段はベルクランクからなり、このベルクランクは、これの両腕間の中間部を支持される支軸を中心として揺動自在に装着され、平常時に一方の腕の一端部が前記破壊針に係止すると共に他方の腕の一端部が前記ナット部材の一部の穴から内部に臨み、前記ばね押圧体が前記ばね部材を所定圧に圧縮する位置にまで移動したとき前記一方の腕の一端部が該ばね押圧体との当接により前記ナット部材の穴に退入すると同時に他方の腕の一端部が前記破壊針との係止状態を解除するように構成することができる。また、前記ロック・アンロック手段は、前記ばね押圧体が前記ばね部材を所定圧に圧縮する位置にまで移動したときに当該位置を検出する検出センサと、平常時に前記破壊針に係止し、前記検出センサからの位置検出信号を入力して前記破壊針との係止状態を解除するソレノイドとからなるものとすることもできる。
【０００７】
【作用】
上記構成の開放器によれば、ばね部材は、平常時、自由状態にセットされていて、容器弁の封板を破壊針を介して破壊できるほどの付勢力（エネルギー）を持っていないものとしてある。したがって、不測に制御盤から開放器への配線内に電気ノイズのように一過性の電気信号が入ってモーターが回転しても、この時の回転は瞬間的であり、この瞬間的なモーターの回転では自由状態にセットされているばね部材はばね押圧機構を介して僅かに圧縮するだけであり、またこれが数回繰り返されてもばね部材は徐々に圧縮量を増すに止まるため、破壊針を動かすまでに至らず、不測に封板が破壊されるのを防止できる。即ち、連続的に起動信号がモーターに送られない限りすぐには破壊針が封板を破壊するようなことがなくなった。また、不測にも開放器自体に機械的振動または衝撃が加えられてロック・アンロック手段が破壊針との係止状態を解除したりするような事態が生じた場合にも、ばね部材は前述のように自由状態にあるか僅かに圧縮しているだけであるため、破壊針を封板に達するまで前進させることがなく、不測に封板を破壊するのを防止できる。
【０００８】
火災発生時には制御盤からモーターへ連続的に起動信号が送られるのでモーターは連続的に回転し、これによりばね押圧機構を介してばね部材が所定圧まで圧縮されると同時にロック・アンロック手段が破壊針との係止状態を解除するので、ばね部材の付勢力により破壊針が急激に動いて封板を破壊することになる。
【０００９】
ばね押圧機構としては、内周面に雌ねじを設けたナット部材と、外周面に前記雌ねじに螺合する雄ねじを有し、前記モーターの軸上に遊嵌されて該軸と共に回転すると同時に軸方向に移動するばね押圧体とからなるものとしておくと、モーターの回転運動をばね押圧体の直線運動に確実に変えることができ、モーターの回転に伴いばね押圧体によりばね部材に圧縮荷重を安定確実に加えることができる。
【００１０】
ロック・アンロック手段としては上記のような構成のベルクランクからなるものとしてあると、ばね押圧体がばね部材を所定圧に圧縮する位置にまで移動すると同時に破壊針の係止状態を確実に解除することができる。また、ロック・アンロック手段は、上記のような検出センサとソレノイドとからなるものとした場合においても、ばね押圧体がばね部材を所定圧に圧縮する位置にまで移動すると同時に破壊針の係止状態を確実に解除することができる。
【００１１】
【発明の実施の形態】
本発明に係るガス系消火設備の開放器の好適な実施形態を図面に基づき説明する。図１は本発明の一実施例を示す開放器の概略縦断面図である。
【００１２】
図１に示すように、本発明に係るガス系消火設備の開放器は、ガス貯蔵容器もしくは起動用ガス容器に取り付けられる容器弁Ｖの封板Ｓを突き破るための破壊針１と、自由状態（加圧ゼロ状態）で所定位置にセットされ、破壊針１を封板Ｓに向けて押圧付勢するための圧縮コイルばね等によるばね部材２と、制御盤１５からの起動信号で回転するモーター３と、このモーター３の正回転力を受けてばね部材２に圧縮荷重を加えるばね押圧機構４と、平常時は破壊針１を後退位置に保持すべく該破壊針１に係止し、ばね部材２が破壊針１を封板Ｓに達する位置にまで移動付勢させるに要する付勢力を発揮する所定圧まで圧縮されたときに破壊針１との係止状態を解除するロック・アンロック手段５とを備えている。
【００１３】
ばね押圧機構４は、内周面に雌ねじ６を設けたナット部材７と、外周面に前記雌ねじ６に螺合する雄ねじ８を有し、前記モーター３の軸９上に遊嵌されて該軸９と共に回転すると同時に軸方向に移動する円盤状のばね押圧体１０とからなる。
【００１４】
ロック・アンロック手段５はベルクランク１１からなり、ベルクランク１１は両腕１１ａ，１１ｂ間の中間部を支持する支軸１２を中心として揺動自在に装着され、平常時にベルクランク１１の一方の腕１１ａの一端部が破壊針１を後退位置に保持すべく該破壊針１の後端部に係止し、他方の腕１１ｂの一端部がナット部材７の一部の穴１３から内部に臨むように設置される。この平常状態は支軸１２上に備えたねじりコイルばね１４により保持されている。そして、ばね押圧体１０がばね部材２を所定圧に圧縮させる位置にまでａ方向に前進移動すると、ベルクランク１１は、一方の腕１１ｂの一端部が前進位置のばね押圧体１０により押されてナット部材７の穴１３に退入するよう支軸１２回りにｂ方向に揺動すると同時に、他方の腕１１ａの一端部が破壊針１との係止状態を解除するようになしている。
【００１５】
上記構成の開放器は、平常時においてはばね部材２が、自由状態（加圧ゼロ状態）で所定位置にセットされていて、破壊針１を容器弁Ｖの封板Ｓに達する位置にまで押圧付勢させるに要するだけの付勢力（エネルギー）を蓄えていない状態にある。したがって、たとえ電気ノイズのように一過性の電気信号が入ってモーター３が瞬間的に回転しても、この瞬間的な回転によりばね部材２はばね押圧機構４を介して僅かに圧縮するにとどまるため、破壊針１を動かすまでに至らず、破壊針１により封板Ｓが破壊されるのを防止できる。また、不測にも、この開放器自体に機械的振動または衝撃が加えられてロック・アンロック手段５が破壊針１との係止状態を解除するようなことがあっても、ばね部材２は前述のように自由状態もしくは僅かに圧縮しているに過ぎないため、破壊針１を封板Ｓの位置に達するまで動かすに至らず、封板Ｓの破壊を防止できる。
【００１６】
火災発生時に制御盤１５から連続的に起動信号がモーター３に送られると、このモーター３の連続的な回転によりばね押圧機構４のばね押圧体１０がばね部材２を所定圧に圧縮するまでａ方向に前進し、これと同時にロック・アンロック手段５のベルクランク１１が一方の腕１１ｂを前進位置のばね押圧体１０と当接することにより支軸１２回りにｂ方向に揺動して他方の腕１１ａの破壊針１との係止状態を解除する。したがって、このときはばね部材２の付勢力により破壊針１が急激に前進移動して封板Ｓを破壊する。なお、封板Ｓの破壊後、ばね押圧体１０を元の位置に戻すにはモーター３を逆転させればよい。
【００１７】
図２は他の実施例を示しており、この実施例ではロック・アンロック手段５が、ばね押圧体１０がばね部材２を所定圧に圧縮する位置にまで移動したときこの位置を検出するリミットスイッチ等による検出センサ１６と、この検出センサ１６の検出信号を入力して作動するソレノイド１７とからなる。ソレノイド１７は平常時破壊針１を後退位置に保持すべく該破壊針１に係止しており、一方、検出センサ１６はばね押圧体１０がばね部材２を所定圧に圧縮する位置にまで移動したときこのばね押圧体１０と当接する位置に設置される。しかるときは、検出センサ１６はばね押圧体１０がばね部材２を所定圧まで圧縮する位置にまで移動したときこのばね押圧体１０の位置を検出し、この検出信号によりソレノイド１７が作動して破壊針１との係止状態を解除する。そのロック・アンロック手段５以外の構成は上記実施例のものと同じである。
【００１８】
なお、ばね押圧機構４は上記実施例のようにばね押圧体１０とナット部材７とを組み合わせてなるものが、モーター３の回転運動をばね押圧体１０の直線運動に確実に変えることができ、モーター３の回転に伴いばね押圧体１０によりばね部材２に圧縮荷重を安定確実に加えることができる点で有利であるが、必ずしもこれに限られず、モーター３の回転力を受けてばね部材２に圧縮荷重を加えることを可能にする機構であればよい。
【００１９】
【発明の効果】
本発明によれば、制御盤から開放器への配線内に電気ノイズが入ってモーターが瞬間的に回転したり、開放器自体に機械的振動または衝撃作用が加えられてロック・アンロック手段が破壊針との係止を解除したりするようなことがあっても、破壊針がすぐに動いて容器弁の封板を破壊することがなくなったので、誤作動と判ったときに動作を停止することが可能となり安全性を確保できるという効果を奏する。
【図面の簡単な説明】
【図１】一実施例の開放器の概略縦断面図である。
【図２】他の実施例を示す開放器の概略縦断面図である。
【図３】従来例の開放器の概略図である。
【符号の説明】
Ｖ  容器弁
Ｓ  封板
１  破壊針
２  ばね部材
３  モーター
４  ばね押圧機構
５  ロック・アンロック手段
６  雌ねじ
７  ナット部材
８  雄ねじ
９  モーターの軸
１０  ばね押圧体
１１  ベルクランク
１１ａ，１１ｂ  腕
１２  支軸
１３  穴
１５  制御盤
１６  検出センサ
１７  ソレノイド
【図１】
0003787521.tif 000002
【図２】
0003787521.tif 000003
【図３】
0003787521.tif 000004